(57)【要約】      （修正有）【課題】スタンド部による支持力が強く、且つスタンド部の収納をフラットな状態で容易に行えるカード類ホルダーを提供する。【解決手段】カード類ホルダー１は、カード類を保持する板状のカード類保持部２と、当該保持部の背面に接続されるスタンド部１０と、を備え、カード類保持部の背面に、帯状に開口する開口部７が形成され、スタンド部１０は、開口部７の上側短辺７Ａに対して、その長さ以下の長さを有する第１短辺１２が第１屈曲部１３を介して配置される帯状の第１帯状部１１と、第１帯状部１１の第２短辺１５に対して、開口部７の短辺の長さ以下の長さを有する第３短辺１８が第２屈曲部１６を介して接続される帯状の第２帯状部１７と、第２帯状部１７の第４短辺１９に対して、第３屈曲部２０を介して一辺が接続される板状のスライド部２１と、を備えており、スライド部２１は、開口部７の長手方向でスライド可能な状態で、空間内に配置されている。【選択図】図１
2018097035.tif 000002
【特許請求の範囲】
【請求項１】
カード類を保持する板状のカード類保持部と、
前記カード類保持部の背面に接続されるスタンド部と、
を備えており、
前記カード類保持部の背面において、正面側に空間を有する状態で帯状に開口する開口部が形成されており、
前記スタンド部は、
前記開口部の短辺に対して、その長さ以下の長さを有する第１短辺が第１屈曲部を介して配置される帯状の第１帯状部と、
前記第１帯状部の第２短辺に対して、前記開口部の前記短辺の長さ以下の長さを有する第３短辺が第２屈曲部を介して接続される帯状の第２帯状部と、
前記第２帯状部の第４短辺に対して、第３屈曲部を介して一辺が接続される板状のスライド部と、
を備えており、
前記スライド部は、前記開口部の長手方向でスライド可能な状態で、前記空間内に配置されていることを特徴とするカード類ホルダー。
【請求項２】
カード類を保持する板状のカード類保持部と、
前記カード類保持部の背面に接続されるスタンド部と、
を備えており、
前記カード類保持部の背面において、帯状に開口する開口部が形成されており、
前記スタンド部は、
前記開口部の一方の短辺に対して、その長さ以下の長さを有する第５短辺が第４屈曲部を介して配置される帯状の第３帯状部と、
前記開口部の他の短辺の正面側に対して、その長さ以下の長さを有する第６短辺が第５屈曲部を介して配置される帯状の第４帯状部と、
を備えており、
前記第３帯状部の第７短辺及び前記第４帯状部の第８短辺の一方に、係合部が形成されていると共に、他方に、前記係合部に係合する被係合部が形成されていることを特徴とするカード類ホルダー。
【請求項３】
前記第１帯状部又は前記第３帯状部若しくは第４帯状部の周縁の大きさは、前記開口部の大きさと同じであることを特徴とする請求項１又は２に記載のカード類ホルダー
【請求項４】
前記開口部の周縁、及び、前記第１帯状部の周縁又は前記第３帯状部の周縁、の少なくとも一方に、逃げ部及び舌片部の少なくとも一方が形成されていることを特徴とする請求項１乃至３の何れかに記載のカード類ホルダー。
【請求項５】
前記開口部の長手方向は上下方向であり、
前記第１帯状部の前記第１短辺又は前記第３帯状部の前記第５短辺が配置される前記開口部の前記短辺は、上方に配置されていることを特徴とする請求項１乃至４の何れかに記載のカード類ホルダー。
【請求項６】
前記カード保持部は、板状の表紙部と、その表紙部に対して開閉可能に接続される板状の裏表紙部を備えており、
前記開口部は、前記裏表紙部中央に配置されていることを特徴とする請求項１乃至５の何れかに記載のカード類ホルダー。
【請求項７】
前記第１帯状部の第１短辺が配置される前記開口部の前記短辺の正面側に、前記開口部の一部に重なる重畳部が配置されており、前記第２帯状部の長手方向の長さと、その方向における前記スライド部の長さと、その方向における前記重畳部の長さの合計が、前記開口部の長手方向の長さと同じであることを特徴とする請求項１に記載のカード類ホルダー。
【請求項８】
前記重畳部に、前記第１屈曲部を介して前記第１帯状部が接続されていることを特徴とする請求項７に記載のカード類ホルダー。
【発明の詳細な説明】
【技術分野】
【０００１】
本発明は、カード類を保持するカード類ホルダーに関するものである。
【背景技術】
【０００２】
従来より、カード類ホルダとしては、下記特許文献１，２に記載されているものが知られている。
このうち、特許文献１のものは、各下辺において折り曲げ線部を介して結合された表面板と裏面板との間にカード類を立てるもので、裏面板の下部中央において、左右及び下の切り込み部と上のスジ押し部で囲まれるように形成された支持部が、スジ押し部において所定角度折り曲げることで裏面板本体から離れると、表面板と裏面板の間の折り曲げ線部の下辺及び支持部の下辺が載置面にそれぞれ接触して、表面板と裏面板の間に入れたカード類が所定の角度に支持されるものである。
【０００３】
また、特許文献２のものは、ホルダ部の下部において、各先端部が鉤状であって、各基部が薄肉である一対の脚部を有しており、各脚部の先端部を互いに近づけて鉤状部を掛け合うことで、組み合った脚部がホルダ部の後方に突出して、ホルダ部を起立状態で支持可能とするものである。
【先行技術文献】
【特許文献】
【０００４】
【特許文献１】実用新案登録第３２００２５０号公報
【特許文献２】実用新案登録第３１６３２６５号公報
【発明の概要】
【発明が解決しようとする課題】
【０００５】
特許文献１のものでは、スジ押し部における折り曲げを戻すだけで、支持部が裏面板本体に沿うようにフラットに収納される。しかし、支持部において、裏面板本体を支持する部分がスジ押し部１箇所しかなく、支持部の支持力が比較的弱いという問題があった。
【０００６】
また、特許文献２のものでは、一対の脚部の各基部がホルダ部を支持することで支持力が比較的強いものの、脚部を収納するには、各鉤状部を外して各基部の折り曲げを戻す必要があり煩わしく、基部が薄肉でフラットに収納されないという問題があった。
【０００７】
そこで、本発明の目的は、上記従来の問題を解消し、スタンド部による支持力が強く、且つスタンド部の収納をフラットな状態で容易に行えるカード類ホルダーを提供することにある。
【課題を解決するための手段】
【０００８】
本発明のうち、請求項１に記載された発明は、カード類を保持する板状のカード類保持部と、前記カード類保持部の背面に接続されるスタンド部と、を備えており、前記カード類保持部の背面において、正面側に空間を有する状態で帯状に開口する開口部が形成されており、前記スタンド部は、前記開口部の短辺に対して、その長さ以下の長さを有する第１短辺が第１屈曲部を介して配置される帯状の第１帯状部と、前記第１帯状部の第２短辺に対して、前記開口部の前記短辺の長さ以下の長さを有する第３短辺が第２屈曲部を介して接続される帯状の第２帯状部と、前記第２帯状部の第４短辺に対して、第３屈曲部を介して一辺が接続される板状のスライド部と、を備えており、
前記スライド部は、前記開口部の長手方向でスライド可能な状態で、前記空間内に配置されていることを特徴とするものである。
このカード類には、証書や写真、色紙、カード、カレンダー、ＣＤ、ＤＶＤ等が含まれる。
【０００９】
請求項２に記載された発明は、カード類を保持する板状のカード類保持部と、前記カード類保持部の背面に接続されるスタンド部と、を備えており、前記カード類保持部の背面において、帯状に開口する開口部が形成されており、前記スタンド部は、前記開口部の一方の短辺に対して、その長さ以下の長さを有する第５短辺が第４屈曲部を介して配置される帯状の第３帯状部と、前記開口部の他の短辺の正面側に対して、その長さ以下の長さを有する第６短辺が第５屈曲部を介して配置される帯状の第４帯状部と、を備えており、前記第３帯状部の第７短辺及び前記第４帯状部の第８短辺の一方に、係合部が形成されていると共に、他方に、前記係合部に係合する被係合部が形成されていることを特徴とするものである。
【００１０】
請求項３に記載された発明は、請求項１又は２に記載の発明に加え、前記第１帯状部又は前記第３帯状部若しくは第４帯状部の周縁の大きさは、前記開口部の大きさと同じであることを特徴とするものである。ここで、大きさには、長手方向の長さ、幅及び厚みの少なくとも何れかが含まれる。また、大きさが同じとは、これらのうちの少なくとも何れかが同じであることをいう。
【００１１】
請求項４に記載された発明は、請求項１乃至３に記載の発明に加え、前記開口部の周縁、及び、前記第１帯状部の周縁又は前記第３帯状部の周縁、の少なくとも一方に、逃げ部及び舌片部の少なくとも一方が形成されていることを特徴とするものである。
【００１２】
請求項５に記載された発明は、請求項１乃至４に記載の発明に加え、前記開口部の長手方向は上下方向であり、前記第１帯状部の前記第１短辺又は前記第３帯状部の前記第５短辺が配置される前記開口部の前記短辺は、上方に配置されていることを特徴とするものである。
【００１３】
請求項６に記載された発明は、請求項１乃至５に記載の発明に加え、前記カード保持部は、板状の表紙部と、その表紙部に対して開閉可能に接続される板状の裏表紙部を備えており、前記開口部は、前記裏表紙部中央に配置されていることを特徴とするものである。
【００１４】
請求項７に記載された発明は、請求項１に記載された発明に加え、前記第１帯状部の前記第１短辺が配置される前記開口部の前記短辺の正面側に、前記開口部の一部に重なる重畳部が配置されており、前記第２帯状部の長手方向の長さと、その方向における前記スライド部の長さと、その方向における前記重畳部の長さの合計が、前記開口部の長手方向の長さと同じであることを特徴とするものである。
【００１５】
請求項８に記載された発明は、請求項７に記載された発明に加え、前記重畳部に、前記第１屈曲部を介して前記第１帯状部が接続されていることを特徴とするものである。
【発明の効果】
【００１６】
請求項１及び２に記載された発明は、カード類保持部の背面に対してスタンド部が２点で支えることからスタンド部によるカード類保持部の支持力が強く、且つスタンド部の収納をスタンド部が突出することなく容易に行うことが可能である。
【００１７】
請求項３に記載された発明は、スタンド部が同じ大きさの開口部内に収納されることから、収納時開口部による凹みが生じず、背面を全体としてフラットな状態にすることができる。
【００１８】
請求項４に記載された発明は、開口部内に収納されたスタンド部の引き出しが容易である。
【００１９】
請求項５に記載された発明は、スタンド部が上下方向となり、カード類保持部を上下２点で支えることから動作がより安定する。
【００２０】
請求項６に記載された発明は、表紙部と裏表紙部を有しているカード類保持部が、表紙部を閉じた状態及び開いた状態の双方において安定して支持することができる。
【００２１】
請求項７に記載された発明は、スライド部が重畳部に当たると、スタンド部がちょうどフラットに収納され、収納操作がし易いものとなる。
【００２２】
請求項８に記載された発明は、重畳部を有するスタンド部を安価に製作することが可能である。
【図面の簡単な説明】
【００２３】
【図１】（ａ）は本発明の第１形態に係るカード類ホルダーのスタンド部が収納された状態を示し、（ｂ）はスタンド部を引き出す途中の状態を、（ｃ）はスタンド部を引き出した状態を示す説明図である。
【図２】スタンド部とスライド部とを示す説明図である。
【図３】（ａ）は図１（ａ）のＡ−Ａ一部断面を示し、（ｂ）は図１（ａ）のＢ−Ｂ一部断面を、（ｃ）は図１（ｂ）のＣ−Ｃ一部断面を、（ｄ）は図１（ｃ）のＤ−Ｄ一部断面を示す説明図である。
【図４】（ａ）はカード類保持部の表紙部が裏表紙部に対して閉じておりスタンド部が引き出された状態を示し、（ｂ）はカード保持部の表紙部が裏表紙部に対して開いておりスタンド部が引き出された状態を示す説明図である。
【図５】（ａ）は本発明の第２形態に係るカード類ホルダーのスタンド部（開いた状態）を示し、（ｂ）は（ａ）のスタンド部後端付近を拡大した状態を、（ｃ）は（ａ）のＥ−Ｅ一部断面を示す説明図である。
【図６】（ａ）は開口部の変更例を、（ｂ）はスタンド部の変更例を示す説明図である。
【発明を実施するための形態】
【００２４】
以下、本発明のカード類ホルダーの実施形態について、図面に基づいて詳細に説明する。
［第１形態］
図１は、本発明の第１形態に係るカード類ホルダーを示す説明図である。図２は、スタンド部とスライド部とを示す説明図である。図３は、カード類ホルダーの断面を示す説明図である。図４は、カード類保持部の開閉動作を示す説明図である。
【００２５】
図１（ａ）に示すように、カード類ホルダー１は、表紙部３と裏表紙部４の端部を連結部５で連結してカード類保持部２を形成し、連結部５を中心にカード類保持部２が裏表紙部４に対して見開き自在に開閉する構造である。
【００２６】
このうち、裏表紙部４は、裏側板材６の外周と表側板材８の外周とを貼り合わせたもので、裏表紙部４の上下方向を長手方向とし、裏側板材６の中央に、長方形状（帯状）の開口部７が配置されている。この開口部７内には、帯板状のスタンド部１０が収納されている。
裏表紙部４及び裏側板材６は、何れも縦方向の長さが約３２０ｍｍ、横方向の長さが約２３０ｍｍの長方形状の板材で、開口部７は、縦方向の長さが約２５０ｍｍ、横方向の長さが約４０ｍｍの長方形状の孔である。
【００２７】
図１（ｂ）（ｃ），２に示すように、スタンド部１０は、長手方向を有する長方形状（帯状）の第１帯状部１１と、この第１帯状部１１上端側の第１短辺１２に接続される第１屈曲部１３と、第１屈曲部１３に接続され、開口部７の上側短辺７Ａの正面側で、開口部７の一部を塞ぐ重畳部１４とを有する。また、スタンド部１０は、第１帯状部１１下端側の第２短辺１５に接続される第２屈曲部１６と、第３短辺１８が第２屈曲部１６に接続される帯状の第２帯状部１７と、第２帯状部１７の第４短辺１９に対して第３屈曲部２０を介して一辺が接続されるスライド部２１とを有する。第１帯状部１１の大きさ（長さ、幅及び厚み）は、開口部７の大きさと同じである。
スライド部２１は、縦方向の長さが約３０ｍｍ、横方向の長さが約５５ｍｍの板材で、開口部７よりも幅が広く、図３（ｂ）に示すように、裏側板材６，表側板材８で挟持される左右の鍔２２，２２を有しており、裏側板材６，表側板材８の間に形成された空間を移動可能とする構造である。第２帯状部１７の長手方向の長さと、その方向におけるスライド部１０の長さと、重畳部１４の長さの合計は、開口部７の長手方向の長さと同じである。空間Ｓは、スライド部２１の移動により形成されても良い。
【００２８】
このようにして構成されるカード類ホルダー１の自立ないしカード類の展示は、例えば以下のようにして行われる。
先ず始めに、表紙部３が裏表紙部４に対して閉じた状態で、図１（ａ）に示すスタンド部１０の第１帯状部１１の下端を、開口部７内に収納された状態から矢印の示す方向に引き出す。
この時、第２帯状部１７の第４短辺１９には、開口部７より幅広のスライド部２１が第３屈曲部２０を介して接続されていることから、図３（ａ）に示す状態から図３（ｃ）に示すように、スライド部２１が、裏表紙部４内（裏側板材６と表側板材８の間の空間Ｓ）を矢印の示す下方向へ移動することとなる。この状態から更に第１帯状部１１の下端を手前へ引き出すと、図３（ｄ）に示すように、第２帯状部１７の下端（第４短辺１９ないし第３屈曲部２０）が開口部７の下側短辺７Ｂに当接してスライド部２１が停止する。ここで、図１（ｃ）に示すように、スライド部２１の鍔２２，２２は、裏側板材６，表側板材８で挟持されていることから、スタンド部１０は、第１短辺１２を中心にして第２短辺１５側が開いた状態を保持することとなる。そして、表紙部３が裏表紙部４に対して閉じた状態で、スタンド部１０後端（第２短辺１５、第２屈曲部１６、第３短辺１８）と裏表紙部４の下辺が載置面に触れることでカード類ホルダ１が自立する。
【００２９】
次に、図４（ａ）に示すように、カード類保持部２の表紙部３を、連結部５を中心に矢印が示す方向に回転させると、図４（ｂ）に示すように、カード類ホルダー１の表紙部３が裏表紙部４に対して開いた状態となり、床面などの載置面に載置すれば、カード類ホルダー１が開いた状態においても、自立した状態となる。この状態では、スタンド部１０と、表紙部３と裏表紙部４との下端でカード類ホルダー１を支持することとなり、スタンド部１０によるカード類保持部２の支持力が強く、安定する。表紙部３と裏表紙部４に取り付けたカード類を展示することが可能となる。
【００３０】
一方、カード類ホルダー１の自立状態の解除は、以下のようにして行われる。
先ず始めに、図１（ｃ）に示す状態から、第２帯状部１７の第４短辺１９側を押し上げる。すると、図１（ｂ）に示すように、スライド部２１が裏側板材６と表側板材８との間を上方に移動することとなる。そして、図１（ａ）に示すように、スライド部２１が重畳部１４に当接する位置まで上昇すると、第２帯状部１７に第１帯状部１１が重なることで、スタンド部１０が開口部７内に収納される。このとき、第２帯状部１７が開口部７の正面側に位置するとともに、第１帯状部１１の大きさが開口部７の大きさと同じであるため、スタンド部１０がフラットに収納される。
【００３１】
上記の如く構成されるカード類ホルダー１は、カード類を保持する板状のカード類保持部２と、カード類保持部２の背面に接続されるスタンド部１０と、を備えており、カード類保持部２の背面において、正面側に空間を有する状態で帯状に開口する開口部７が形成されており、スタンド部１０は、開口部７の上側短辺７Ａに対して、その長さ以下の長さを有する第１短辺１２が第１屈曲部１３を介して配置される帯状の第１帯状部１１と、第１帯状部１１の第２短辺１５に対して、開口部７の短辺の長さ以下の長さを有する第３短辺１８が第２屈曲部１６を介して接続される帯状の第２帯状部１７と、第２帯状部１７の第４短辺１９に対して、第３屈曲部２０を介して一辺が接続される板状のスライド部２１と、を備えており、スライド部２１は、開口部７の長手方向でスライド可能な状態で、空間Ｓ内に配置されていることにより、カード類保持部２の背面に対してスタンド部１０が２点で支えることからスタンド部１０によるカード類保持部２の支持力が強く、且つスタンド部１０の収納をスタンド部１０が突出することなく容易に行うことが可能である。
【００３２】
また、第１帯状部１１の大きさは、開口部７の大きさと同じであることにより、収納時開口部７による凹凸が生じず、背面を全体としてフラットな状態にすることができる。
【００３３】
また、開口部７の長手方向は上下方向であり、第１帯状部１１の第１短辺１２が配置される開口部７の上側短辺７Ａは、上方に配置したことにより、スタンド部１０が上下方向となり、カード類保持部２を上下２点で支えることから動作がより安定する。
【００３４】
更に、カード類保持部２は、板状の表紙部３と、その表紙部３に対して開閉可能に接続される板状の裏表紙部４を備えており、開口部７は、裏表紙部４の中央に配置されていることにより、表紙部３と裏表紙部４を有しているカード類保持部２を、表紙部３を閉じた状態及び開いた状態の双方において安定して支持することができる。
【００３５】
他にも、第１帯状部１１の第１短辺１２が配置される開口部７の短辺の正面側に、開口部７の一部を塞ぐ重畳部１４が配置されており、第２帯状部１７の長手方向の長さと、その方向におけるスライド部２１の長さと、その方向における重畳部１４の長さの合計が、開口部７の長手方向の長さと同じであることにより、スライド部２１が重畳部１４に当たると、スタンド部１０がちょうどフラットに収納され、収納操作がし易いものとなる。
【００３６】
また、重畳部１４に、第１屈曲部１３を介して第１帯状部１１が接続されていることにより、重畳部１４を有するスタンド部１０を安価に製作することが可能である。
【００３７】
［第２形態］
図５は、本発明の第２形態に係るカード類ホルダ２９の説明図である。カード類ホルダ２９において、第１形態と同様に成る部材や部分については、同じ符号が付されて適宜適宜説明が省略される。
図５（ａ）に示すように、カード類を保持する板状のカード類保持部２と、カード類保持部２の背面に接続されるスタンド部３０と、を備えており、カード類保持部２の背面において、帯状に開口する開口部７が形成されており、スタンド部３０は、開口部７の一方の短辺である上側短辺７Ａに対して、その長さと同じ長さを有する第５短辺３１が第４屈曲部３２を介して配置される帯状の第３帯状部３３と、開口部７の他方の短辺である下側短辺７Ｂの正面側に対して、その長さと同じ長さを有する第６短辺３５が第５屈曲部３６を介して配置される帯状の第４帯状部３７と、を備えており、第３帯状部３３の第７短辺３８に、被係合部４０が形成されていると共に、第４帯状部３７の第８短辺３９に、被係合部４０に係合する係合部４１が形成されていることにより、カード類保持部２の背面に対してスタンド部３０が、第５短辺３１と第６短辺３５の２点で支えることからスタンド部３０によるカード類保持部２の支持力が強く、且つスタンド部３０の収納をスタンド部３０が突出することなく容易に行うことが可能である。
具体的には、スタンド部３０は、長手方向を有する長方形状（帯状）の第３帯状部３３と、この第３帯状部３３上端の第５短辺３１に接続される第４屈曲部３２と、第４屈曲部３２に接続され、開口部７の上側短辺７Ａの正面側で開口部７の一部を塞ぐ重畳部３４とを有する。また、スタンド部３０は、第４帯状部３７の第６短辺３５に対して第５屈曲部３６を介して一辺が接続される重畳部４２とを有する。第１形態の「空間Ｓ」は存在しない。
【００３８】
このうち、図５（ｂ）（ｃ）に示すように、第３帯状部３３下端の第７短辺３８には、溝の被係合部４０が形成されており、第４帯状部３７上端の第８短辺３９には、被係合部４０に係合する凸状の係合部４１が形成されている。スタンド部３０の収納時は、この係合部４１が重畳部３４下端に形成される凹部４３に当接し、開口部７内を重畳部３４と第４帯状部３７と重畳部４２とで塞いだ状態となり、その上に第３帯状部３３が重ねられることでフラットな状態で収納される。
【００３９】
ここで、被係合部４０と、被係合部４０に係合する係合部４１との係合は、溝に凸状部が係合する構造である必要はなく、第７短辺３８に、第４帯状部３７の第８短辺３９を固定してスタンド部３０を自立状態にしたり、固定を解除してスタンド部３０を開口部７内に収納可能な構造であれば良く、適宜変更可能である。
例えば、第３帯状部３３の第７短辺３８側には、右側面から中央まで切り込みを入れ、第４帯状部３７の第８短辺３９には、左側面から中央まで切り込みを入れて、これら切り込みを交差し、カード類ホルダー２９を自立状態にしたり、交差を解除してスタンド部３０を開口部７内に収納可能な構造であれば良い。
【００４０】
カード類ホルダー２９の自立ないしカード類の展示は、例えば以下のようにして行われる。
先ず始めに、表紙部３が裏表紙部４に対して閉じた状態で、図１（ａ）に示すスタンド部１０の場合と同様に、第３帯状部３３の下端を、開口部７内に収納された状態から引き出す。次に、第３帯状部３３の下に重ねられた第４帯状部３７も引き出す。
そして、図５（ｃ）に示すように、第４帯状部３７の係合部４１を、第３帯状部３３の被係合部４０に係合させると、表紙部３が裏表紙部４に対して閉じた状態で、スタンド部３０後端（第７短辺３８）と裏表紙部４の下辺が載置面に触れることでカード類ホルダ２９が自立する。
【００４１】
次に、カード類保持部２の表紙部３を、連結部５を中心に回転させると、図４（ｂ）に示すカード類ホルダー１の場合と同様に、カード類ホルダー２９の表紙部３が裏表紙部４に対して開いた状態となり、床面などの載置面に載置すれば、カード類ホルダー２９が開いた状態においても、自立した状態となる。この状態では、スタンド部３０と、表紙部３と裏表紙部４との下端でカード類ホルダー２９を支持することとなり、スタンド部３０によるカード類保持部２の支持力が強く、安定する。表紙部３と裏表紙部４に取り付けたカード類を展示することが可能となる。
【００４２】
一方、カード類ホルダー２９の自立状態の解除は、以下のようにして行われる。
先ず始めに、図５（ａ）（ｃ）に示す被係合部４０と、被係合部４０に係合する係合部４１との係合を解除する。そして、第４帯状部３７を開口部７側に押し戻し、係合部４１が重畳部３４の凹部４３に当接すると、開口部７内を重畳部３４と第４帯状部３７と重畳部４２とで塞いだ状態となり、その上に第３帯状部３３が重なることで、スタンド部３０が開口部７内に収納される。このとき、第３帯状部３３の大きさが開口部７の大きさと同じであるため、スタンド部３０がフラットに収納される。
【００４３】
また、第３帯状部３３の大きさは、開口部７の背面側の大きさと同じであることにより、スタンド部３０が同じ大きさの開口部７内に収納されることから、収納時開口部７による凹凸が生じず、背面を全体としてフラットな状態にすることができる。
【００４４】
また、開口部７の長手方向は上下方向であり、第３帯状部３３の第５短辺３１が配置される開口部７の上側短辺７Ａは、上方に配置したことにより、スタンド部３０が上下方向となり、カード類保持部２を第５短辺３１と第６短辺３５の上下２点で支えることから動作がより安定する。
【００４５】
［変更例］
なお、本発明にかかるカード類ホルダーは、上記した実施の形態に何ら限定されるものではなく、本発明の趣旨を逸脱しない範囲で、カード類保持部やスライド部、開口部等の形状や大きさを適宜変更することができる。以下、上記形態の変更例が説明される。
【００４６】
図６（ａ）（ｂ）に示すように、開口部７の周縁、及び、第１帯状部１１の周縁、第３帯状部３３の周縁、の少なくとも一方に、逃げ部２５又は舌片部２６の少なくとも一方が形成されても良い。これにより、開口部７内に収納されたスタンド部１０の第１帯状部１１や、スタンド部３０の第３帯状部３３の引き出しが容易である。
【００４７】
他にも、図１（ａ）に示すように、表紙部３と裏表紙部４の連結を側面で連結する必要はなく、他の位置で連結する構造としても良い。また、カード類保持部２は、常に表紙部３と裏表紙部４の二枚で構成する必要はなく、それ以上の枚数を連結する構成としたり、１枚の板材としたりしても良く、適宜変更可能である。
【００４８】
また、開口部７は、裏側板材６の中央に設ける必要はなく、左右何れかの側面側に寄せて設けても良い。更に、スタンド部１０は、一つである必要はなく、カード類ホルダー１の自立状態を保持することが可能なものであれば、開口部７と共に並設しても良く、適宜変更可能である。
【００４９】
他にも、裏表紙部４の裏側板材６と表側板材８との間に形成される空間Ｓは、開口部７周辺を除いて板材で埋める構造としても良い。
【００５０】
また、重畳部１４を省略して、第１帯状部材１１を、第１短辺１２を開口部７の上側短辺７Ａと一体に形成しても良い。スタンド部３０の第５短辺３１や第６短辺３５についても同様である。
【００５１】
他にも、開口部７は、裏表紙部４の正面側を塞ぐくぼみ状に形成することに代えて、正面側も開放される窓状に形成しても良く、適宜変更可能である。
【００５２】
また、スタンド部１０の折れ曲がる箇所として、例えば第１短辺１２と第１屈曲部１３と重畳部１４とを一体に形成しても良く、折り曲げ動作が安定して行われるものであれば適宜変更可能である。このことは、第２短辺１５と第２屈曲部１６と第３短辺や、第４短辺１９と第３屈曲部とスライド部２０、スタンド部３０の第５短辺３１と第４屈曲部３２と重畳部３４とについても同様である。
【符号の説明】
【００５３】
１・・カード類ホルダー、２・・カード類保持部、３・・表紙部、４・・裏表紙部、５・・連結部、６・・裏側板材、７・・開口部、８・・表側板材、１０・・スタンド部、１１・・第１帯状部、１３・・第１屈曲部、１４・・重畳部、１６・・第２屈曲部、１７・・第２帯状部、２０・・第３屈曲部、２１・・スライド部、２２・・鍔、２５・・逃げ部、２６・・舌片部、Ｓ・・空間。
【図１】
2018097035.tif 000003
【図２】
2018097035.tif 000004
【図３】
2018097035.tif 000005
【図４】
2018097035.tif 000006
【図５】
2018097035.tif 000007
【図６】
2018097035.tif 000008